(57)【要約】【課題】  移動端末の回路規模及び消費電力を大幅に削減しつつ、雑音成分を効果的に除去した精度の高いレベル測定を実現する。【解決手段】  複数のパスを介して到来する受信信号から自己に割り当てられた拡散符号と相関の大きい上位Ｎ（Ｎは自然数）パスの相関値を検出するパスサーチ部をそなえた移動端末において、パスサーチ部による今回のパスサーチで得られるパスのうち、前回のパスサーチで得られた上位Ｎパスの検出タイミングと一致するパス２１の相関値を選択し、選択した相関値を加算することにより受信希望波のレベル測定を行なう。【選択図】        図６
2005191796.tif 000002
【特許請求の範囲】
【請求項１】
複数のパスを介して到来する受信信号から自己に割り当てられた拡散符号と相関の大きい上位Ｎ（Ｎは自然数）パスの相関値を検出するパスサーチ部をそなえた移動端末において、
該パスサーチ部による今回のパスサーチで得られるパスのうち、前回のパスサーチで得られた上位Ｎパスの検出タイミングと一致するパスの相関値を選択し、
選択した相関値を加算することにより受信希望波のレベル測定を行なうことを特徴とする、受信レベル測定方法。
【請求項２】
該レベル測定において、前回と今回の各パスサーチで該検出タイミングが所定許容範囲内にあるパスを同一パスとみなして当該パスの相関値を該加算対象に含めることを特徴とする、請求項１記載の受信レベル測定方法。
【請求項３】
複数のパスを介して到来する受信信号から自己に割り当てられた拡散符号と相関の大きい上位Ｎ（Ｎは自然数）パスの相関値を検出するパスサーチ部をそなえた移動端末において、
該パスサーチ部によるパスサーチで得られた上位Ｎパスの相関値のうち、所定の閾値を超えているものを選択し、
選択した相関値を加算することにより受信希望波のレベル測定を行なうことを特徴とする、受信レベル測定方法。
【請求項４】
該レベル測定において、選択された相関値がない場合は、圏外判定となる一定値をレベル測定結果とすることを特徴とする、請求項１〜３のいずれか１項に記載の受信レベル測定方法。
【請求項５】
複数のパスを介して到来する受信信号から自己に割り当てられた拡散符号と相関の大きい上位Ｎ（Ｎは自然数）パスの相関値を検出するパスサーチ部をそなえた移動端末に用いられる受信レベル測定装置であって、
該パスサーチ部での前回のパスサーチにより得られた上位Ｎパスの相関値及びタイミング情報を保持する保持回路と、
該保持回路で保持されたタイミング情報に基づいて、該パスサーチ部による今回のパスサーチで得られるパスのうち、前回のパスサーチで得られた上位Ｎパスの検出タイミングと一致するパスの相関値を選択する選択回路と、
該選択回路で選択された相関値を加算して受信希望波のレベル測定結果として出力する加算回路とをそなえたことを特徴とする、受信レベル測定装置。
【発明の詳細な説明】
【技術分野】
【０００１】
本発明は、受信レベル測定方法及び受信レベル測定装置に関し、特に、CDMA（Code Division Multiple Access）方式の移動端末における受信レベルの測定に好適な技術に関する。
【背景技術】
【０００２】
図１３は、従来の移動通信システム〔W（Wideband）-CDMAシステム〕に用いられる移動端末（CDMA端末）の要部（受信系）の構成を示すブロック図で、この図１３に示すように、CDMA端末は、一般に、受信系として、無線受信部１０１，アナログ／デジタル（Ａ／Ｄ）変換器１０２，パスサーチ部１０３，逆拡散部１０４，同期検波部１０５，信号処理部１０６及びレベル測定部１０７等をそなえて構成され、無線受信部１０１で受信された複数のパスから到来する信号は、Ａ／Ｄ変換器１０２にてデジタル信号に変換され、このデジタル信号を基にパスサーチ部１０３が受信信号の遅延プロファイルを測定する（受信信号と自チャンネルに割り当てられている拡散コードとの相関値を求める）ことにより相関電力の大きい複数パスを検出（遅延プロファイル測定）し、検出した各パスの信号がそれぞれ同位相で逆拡散されるよう逆拡散部１０４にパス毎にそなえられたフィンガ部に逆拡散タイミングを与える。
【０００３】
これにより、パスサーチ部１０３で検出された相関電力の大きい複数パスの信号が、それぞれ、逆拡散部１０４において対応するフィンガ部で逆拡散されたのち、同期検波部１０５に入力され、同期検波部１０５にて同期検波される。同期検波後の各パスの信号は、レイク（RAKE）合成されたのち、信号処理部１０６にてチャネルコーデック，誤り訂正（ターボ復号），インタリーブ，レートマッチング等の受信信号処理が施される。なお、パスサーチや逆拡散等の詳細については、例えば下記特許文献１に開示がある。
【０００４】
一方、レベル測定部１０７では、希望波と干渉波の比（SIR：Signal Interference Ratio）及び希望波受信電力（RSSI：Received Signal Strength Indicator）を検出する。即ち、レイク合成出力の共通パイロットチャネル信号成分を基にＤＳＰ（Digital Signal Processor）ファームウェア等によって基準位相に対する各信号点の分散を測定し演算することによってＳＩＲを検出し、信号点の振幅を測定し演算することによってＲＳＳＩを検出する。これらのＳＩＲ及びＲＳＳＩは、いわゆる遠近問題を補償する閉ループ送信電力制御や、近隣基地局の送信電力を監視するために用いられる。
【０００５】
ところで、移動通信システムにおいて、移動端末における周辺レベル測定機能は、待ち受けセルの選択やハンドオーバ先の選択のために重要な機能である。このレベル測定の方式として、上記のＳＩＲやＲＳＳＩを利用することができる。
【特許文献１】特開２０００−４０９８１号公報
【発明の開示】
【発明が解決しようとする課題】
【０００６】
しかしながら、上述した従来の移動端末では、逆拡散部１０４及び同期検波部１０５にレベル測定に必要な処理系（フィンガ部等）を別途用意しておく必要がある（図１３参照）ため、回路規模及び消費電力が増大するという課題がある。
本発明は、このような課題に鑑み創案されたもので、移動端末の回路規模及び消費電力を大幅に削減しつつ、受信信号から雑音を効果的に除去した精度の高い受信レベル測定を実現できるようにすることを目的とする。
【課題を解決するための手段】
【０００７】
上記の目的を達成するために、本発明の受信レベル測定方法（請求項１）は、複数のパスを介して到来する受信信号から自己に割り当てられた拡散符号と相関の大きい上位Ｎ（Ｎは自然数）パスの相関値を検出するパスサーチ部をそなえた移動端末において、該パスサーチ部による今回のパスサーチで得られるパスのうち、前回のパスサーチで得られた上位Ｎパスの検出タイミングと一致するパスの相関値を選択し、
選択した相関値を加算することにより受信希望波のレベル測定を行なうことを特徴としている。
【０００８】
ここで、該レベル測定において、前回と今回の各パスサーチで該検出タイミングが所定許容範囲内にあるパスを同一パスとみなして当該パスの相関値を該加算対象に含めることもできる（請求項２）。
また、本発明の受信レベル測定方法（請求項３）は、複数のパスを介して到来する受信信号から自己に割り当てられた拡散符号と相関の大きい上位Ｎ（Ｎは自然数）パスの相関値を検出するパスサーチ部をそなえた移動端末において、該パスサーチ部によるパスサーチで得られた上位Ｎパスの相関値のうち、所定の閾値を超えているものを選択し、選択した相関値を加算することにより受信希望波のレベル測定を行なうことを特徴としている。
【０００９】
ここで、該レベル測定において、選択された相関値がない場合は、圏外判定となる一定値をレベル測定結果とするのが好ましい（請求項４）。
さらに、本発明の受信レベル測定装置（請求項５）は、複数のパスを介して到来する受信信号から自己に割り当てられた拡散符号と相関の大きい上位Ｎ（Ｎは自然数）パスの相関値を検出するパスサーチ部をそなえた移動端末に用いられるものであって、該パスサーチ部での前回のパスサーチにより得られた上位Ｎパスの相関値及び検出タイミング情報を保持する保持回路と、該保持回路で保持された検出タイミング情報に基づいて、該パスサーチ部による今回のパスサーチで得られるパスのうち、前回のパスサーチで得られた上位Ｎパスの検出タイミングと一致するパスの相関値を選択する選択回路と、該選択回路で選択された相関値を加算して受信希望波のレベル測定結果として出力する加算回路とをそなえたことを特徴としている。
【発明の効果】
【００１０】
上記の本発明によれば、前回のパスサーチと今回のパスサーチで同じ検出タイミングとなったパスの相関値のみを選択、あるいは、所定の閾値を超えているパスの相関値のみを選択して加算（レベル測定）することにより、雑音成分が受信希望波として選ばれてしまう確率を大幅に低減することができるので、移動端末の回路規模及び消費電力を大幅に削減しつつ、雑音成分を効果的に除去した精度の高いレベル測定を実現することができる。
【発明を実施するための最良の形態】
【００１１】
〔Ａ〕概要説明
移動端末では、前述したように、パスサーチ（遅延プロファイル測定）において、受信信号と自己に割り当てられている拡散コードとの相関値を計算するのであるが、計算時間を長くすればするほど消費電力が大きくなる。移動端末の待ち受け時間は端末の性能として重要な要素であり、この時間はなるべく短くしたい。ここで、相関値は、信号がなく雑音のみの場合でも算出される。即ち、パスサーチでは、図４に示すごとく窓幅内のすべてのタイミングで電力値を算出するが、信号がないから“０”になるというわけではない。相関値の窓幅内にある全サンプル中の上位Ｎパス（Ｎは自然数）を選ぶとき、この中に雑音が混ざってくる場合の雑音電力は、平均値よりもかなり大きい値となる。
【００１２】
一般に、雑音の電力分布は例えば図５に示すように指数関数で表される。この図５から雑音の平均値とたまたま雑音が大きかったときの値の差が大きいことが確認できる。この雑音電力は相関値を計算する時間を長くすれば長くするほど、信号電力との差が大きくなり、より小さな信号とも区別することが可能となるが、上記のように計算時間はなるべく短くしたい。この時間を決めると、識別できる信号電力の限界値が決まる。この限界電力をP1とする。
【００１３】
一方で、圏外と判定されるレベルは端末により差があり過ぎると適切ではないので、一般的にシステムで決められている。この判定レベルをP2とする。上述した識別できる限界電力P1は、判定レベルP2よりも大きいと、信号がなく雑音だけのときでも圏内と判定されてしまうため、判定レベルP2よりは低く設定する必要がある。また、W-CDMAシステムでは、データ受信を行なうときにレイク合成を行なうので、レベル測定としてもレイク合成後の受信品質を測定したい。そのためには、レイク合成後の信号についてレベル測定を行うのが適切である。
【００１４】
このとき、限界電力P1はぎりぎり雑音として存在し得る値なので、信号がないときのレベル測定結果としては限界電力P1×Ｎ（パス）程度となる。そして、これが判定レベルP2を超えると信号がないにもかかわらず、圏内と判定されてしまうことになる。つまり、Ｎをレイク合成するパスの数とすると、P1<P2<P1×Nのときが問題となる。逆に言うと、P1×N<P2となるP1が識別できるようにパスサーチ部５でのパスサーチ時間を長くとる必要があるが、以下の実施形態では、P1<P2となる限界電力P1が識別できるレベルのパスサーチ時間で問題ないようにする。
【００１５】
即ち、P1<P2であるため、識別できる大きさの信号1パス分の最小電力は、圏外判定レベルよりも小さいこと、信号には相関があるが、雑音には相関がないことに注目する。
つまり、信号があったとすると、上位Ｎパスに選ばれる。ただし、Ｎパスとも信号とは限らず、この中には雑音も混ざっている可能性がある。そこで、もう一度パスサーチを行ない、再度、上位Ｎパスに選ばれた場合は信号と判断し、選ばれなかった場合は雑音と判断する。
【００１６】
また、上位Ｎパスの電力値のうち限界電力P1を超えるものを信号と判断し、超えた電力のみを合成してレイク後の電力（レベル測定結果）とする方法も考えられる。
さらに、雑音には時間方向に相関がないため、一度パスサーチを行ない、タイミングを定めた後に、もう一度パスサーチを行ない、このときの電力値を加算し、レベル測定結果とする方法もある。この方法は、最初のパスサーチで選ばれたタイミングが雑音だとすると、２回目のパスサーチでは平均的な雑音レベルとなるため、小さくなることを利用する。
【００１７】
以下、具体的な実現例について説明する。
〔Ｂ〕一実施形態の説明
図１は本発明の一実施形態に係る移動端末（CDMA端末）の要部の構成を示すブロック図で、この図１に示す移動端末は、アンテナ１，デュプレクサ２，無線受信部３，Ａ／Ｄ変換器４，パスサーチ部５，逆拡散部６，同期検波部７，信号処理部８，SIR/RSSI測定部９，Ｄ／Ａ変換器１０，無線送信部１１及びレベル測定部（受信レベル測定装置）１２をそなえて構成されている。
【００１８】
ここで、デュプレクサ２は、アンテナ１により受信された無線信号を無線受信部３へ入力する一方、無線送信部１１からの無線信号をアンテナ１へ出力するためのものであり、無線受信部３は、このデュプレクサ２からの受信信号についてＲＦ（Radio Frequency）からＩＦ（Intermediate Frequency）への周波数変換（ダウンコンバート）やＱＰＳＫ直交検波等の所要の受信処理を施すものであり、Ａ／Ｄ変換器４は、この無線受信部３の出力をデジタル信号に変換するものである。
【００１９】
パスサーチ部５は、所定周期（例えば、６２５μｓに１回）で遅延プロファイルを測定し相関電力の大きい複数パスを検出し、逆拡散タイミング（パスタイミング）として逆拡散部６（フィンガ部）に転送するもので、例えば図２に示すように、マッチトフィルタ５１，電力化回路５２及びパス選別・タイミング算出回路５３等をそなえて構成される。
ここで、マッチトフィルタ５１は、前回のパスタイミングを中心として、マルチパスが検出できる程度（例えば、６２．５μｓの範囲）の窓を開き、その窓中のすべてのタイミングで受信信号（データ）と自チャンネルの拡散コードとの相関値を求めることにより、自チャンネルの信号成分（希望波）を抽出（検出）するものであり、電力化回路５２は、このマッチトフィルタ５１により得られた相関値を電力値に換算するものであり、パス選別・タイミング算出回路５３は、相関電力値の大きさを比較して大きいものから順に上位Ｎパス（Ｎは自然数）分を選別（図４参照）してその（検出）タイミングを算出し、検出したＮパスの信号がそれぞれ同位相で逆拡散されるよう逆拡散部６にパス毎にそなえられたフィンガ部に対して逆拡散タイミング（パスタイミング）を与えるようになっている。なお、かかる遅延プロファイル測定には、マッチトフィルタ５１ではなく、スライディング相関器を用いることもできる。
【００２０】
逆拡散部６は、上記パスサーチ部５から与えられる逆拡散タイミングによりＡ／Ｄ変換器４の出力を上記Ｎパスに対応するフィンガ部にて逆拡散するものであり、同期検波部７は、この逆拡散部６の出力を同期検波してレイク合成するものであり、信号処理部８は、チャネルコーデック，誤り訂正（ターボ復号），インタリーブ，レートマッチング等の受信信号処理を行なうものである。
【００２１】
SIR/RSSI測定部９は、希望波と干渉波の比（SIR）及び希望波受信電力（RSSI）を検出し、その検出結果を基に基地局送信電力の制御情報を生成するもので、例えば、レイク合成出力からＤＳＰファームウェア等によって基準位相に対する各信号点の分散を測定し演算することによってＳＩＲを検出し、信号点の振幅を測定し演算することによってＲＳＳＩを検出できるようになっている。
【００２２】
Ｄ／Ａ変換器１０は、このSIR/RSSI測定部９からの基地局送信電力の制御情報をアナログ信号に変換するものであり、無線送信部１１は、当該アナログ信号（制御情報）を無線信号に変換する機能を有するもので、当該無線信号はいわゆる遠近問題を補償する閉ループ送信電力制御のためにデュプレクサ２を通じてアンテナ１から基地局へ向けて送信される。
【００２３】
そして、レベル測定部１２は、パスサーチ部５で得られるＮパス分の相関電力値及びタイミングを基に自チャンネルの受信信号（希望波）のレベル測定を行なうもので、例えば図３に示すように、保持回路１２１，タイミング比較・パス選別回路１２２及び加算回路１２３をそなえて構成される。
保持回路１２１は、上記パスサーチ部５で得られるＮパス分の相関電力値及びタイミング（情報）を保持するためのものであり、タイミング比較・パス選別回路（選択回路）１２２は、この保持回路１２１に保持された前回のパスサーチによる上位Ｎパス分のタイミングと、次にパスサーチ部５で得られる今回のパスサーチによる上位Ｎパス分のタイミングとを比較して、タイミングの一致するｍパス（ｍは自然数で、ｍ≦Ｎ）の相関電力値を選別（選択）するものであり、加算回路１２３は、このタイミング比較・パス選別回路１２２で選別されたｍパス分の相関電力値を合成（加算）してレベル測定結果として出力するものである。
【００２４】
このように、データ復調のためにもともと必要とされるパスサーチ部５において相関電力値を利用してレベル測定を行なう構成とすることで、復調部（逆拡散部６及び同期検波部７）にレベル測定用の相関器等の回路部を設ける必要がなく、回路規模及び消費電力を削減することができる。また、相関電力値そのものは既にパスサーチ部５により計算されているので、レベル測定部１２の構成も単純なものにすることができる。
【００２５】
そして、上述のごとく構成された本実施形態のCDMA端末では、パスサーチ部５によるパスサーチ区間を２つに分割し、前半で相関電力値の高い上位Ｎパス、後半で同様に相関電力値の高い上位Ｎパスをパス選別・タイミング算出回路５３により選び、タイミングが一致したパスのみを加算回路１２３で合成する。例えば図６の上段に示すように、前半（１回目）のパスサーチで上位４パスの相関電力値が選ばれ、同図下段に示すように、後半（２回目）のパスサーチで上位４パスの相関電力値が選ばれたとすると、１回目のパスサーチ結果として保持回路１２１に保持されている４パス分のタイミングと、２回目のパスサーチで選ばれた４パス分のタイミングとがタイミング比較・パス選別回路１２２にて比較され、符号２１で示すようにタイミングの一致したパス（図６では２パス）の相関電力値のみが希望波の相関電力値として加算回路１２３にて加算（合成）される。
【００２６】
つまり、１スロット〔＝２５６０チップ（１チップは４サンプル）〕程度であれば信号の相関が十分大きいので、希望波であれば今回（２回目）のパスサーチでも前回（１回目）と同じタイミングの相関電力値が選ばれる可能性が高く、逆に、前回のパスサーチで選ばれたパスが雑音であれば、今回のパスサーチの時と相関がなく今回のパスサーチで上位Ｎパスに選ばれる可能性は低いので、上述のごとく前回のパスサーチと今回のパスサーチで同じタイミングとなったパスの相関電力値のみを選択して加算（レベル測定）することにより、雑音成分が受信希望波として選ばれてしまう確率を大幅に低減することができる。その結果、希望波がないのに圏内と判定されてしまうことを防止することができる。
【００２７】
〔Ｂ１〕第１変形例の説明
上述した例では、１回目と２回目のパスサーチでそれぞれ選ばれた上位Ｎパスのうちタイミングが一致した相関電力値のみを選択・加算しているが、両タイミングは、相関は高いが基地局と移動端末のクロックが微妙にずれていることにより、完全に一致しないことがある。また、パスの間隔が狭く、パス間の信号電力が近かった場合は、微妙な雑音の変化により電力が強いタイミングが少しずれることがある。
【００２８】
そこで、例えば図７に示すように、両タイミングが完全に一致していなくても、そのずれが所定許容範囲〔例えば、１チップ４サンプルの場合なら、２サンプル（０．５チップ）〕以内（符号２２参照）であれば、タイミング比較・パス選別回路１２２において、同じパスの相関電力値であるとみなして加算対象の相関値に含め、加算回路１２３にて合成する。これにより、１回目と２回目のパスサーチで選ばれたパスのタイミングが微妙にずれていても適切なレベル測定を行なうことができる。
【００２９】
〔Ｂ２〕第２変形例の説明
ところで、上述したレベル測定において、タイミングの一致する（又は、許容範囲内の）パスが存在しない場合、レベル測定結果を０としてしまうと、何回かのレベル測定結果を平均して圏内／圏外判定を行なう場合に、測定結果の平均値に大きな影響を与えてしまう。そこで、これを防ぐために、例えば図８に示すように、１回目と２回目のパスサーチでタイミングの一致する（又は所定サンプル以内の）パスが存在しない場合には、雑音の最大値（限界電力P1）程度の一定値をレベル測定結果として加算回路１２３から出力させるようにする。これにより、本来圏外と判定されるべきものが、圏内と誤判定されることを防止することができる。
【００３０】
〔Ｂ３〕第３変形例の説明
また、上述したレベル測定部１２は、例えば図９に示すように、図３により前述したタイミング比較・パス選別回路１２２に代えて、閾値比較・パス選別回路１２２′をそなえて構成することもできる。この閾値比較・パス選別回路（選択回路）１２２′は、パスサーチ部５によるパスサーチで信号と雑音がほぼ識別できるレベルを閾値として、パスサーチ部５で選ばれた上位Ｎパスの相関電力値を当該閾値と比較して、この閾値を超えるものだけを選択するものである。これにより、例えば図１０に示すように、パスサーチ部５によるパスサーチにより選ばれた上位Ｎ（＝４）パスのうち、閾値を超えるパス（３パス）分の相関電力値（符号２３参照）のみが加算回路１２３にて合成されてレベル測定結果として出力されることになる。
【００３１】
この場合は、上述した実施形態、第１及び第２変形例とは異なり、上位Ｎパスに選ばれるが閾値以下の相関電力値のパスを救うことができないが、閾値を超えていれば、タイミングが短期間でずれるような場合でも、合成（加算）することができ、レベル測定を行なうことができる。
ここで、上記閾値を超えるパスが存在しない場合、レベル測定結果を０としてしまうと、何回かのレベル測定結果を平均して圏内／圏外判定を行なう場合に、測定結果の平均値に大きな影響を与えてしまうので、これを防ぐために、例えば図１１に示すように、閾値を超えるパスが存在しない場合には、雑音の最大値（限界電力P1）程度の一定値をレベル測定結果として加算回路１２３から出力させるようにする。これにより、本来圏外と判定されるべきものが、圏内と誤判定されることを防止することができる。
【００３２】
また、信号（希望波）が存在するにもかかわらず、閾値よりも低かった可能性もあり、この場合は、雑音の最大レベルである限界電力P1程度の値をレベル測定結果とすれば、信号の電力よりもレベル測定結果が大きくなる。限界電力P1は、見逃した可能性のある信号よりもレベルが高く、圏内になるレベルよりも低い値となっていて、適切な値と考えられる。
【００３３】
〔Ｂ４〕第４変形例の説明
図６により前述した例では、パスサーチ区間を２分割し、前半（１回目）と後半（２回目）のパスサーチで選ばれた上位Ｎパスのうち、タイミングの一致するｍパスの相関電力値のみを選別して合成しているが、例えば、前半で上位Ｎパスを選び、後半で行なったパスサーチの前半で選んだＮパスのタイミングの電力値を合成してレベル測定を行なうこともできる。つまり、１回目のパスサーチで選ばれた上位Ｎパス分のタイミング情報のみを保持回路１２１にて保持して合成すべきパスのタイミングを確定しておき、そのタイミングにおける２回目のパスサーチで得られるパスの相関電力値を加算回路１２３で合成してレベル測定結果として出力するのである（図１２の符号２４参照）。
【００３４】
信号（希望波）には相関があるので、もう一度（２回目のパスサーチで）相関電力値を計算すれば再び大きい値が測定されるが、雑音には相関がないため、１回目のパスサーチでたまたま相関電力値の大きかったタイミングが選ばれることになるが、もう一度（２回目のパスサーチで）測定したときには、平均的なレベルが観測される可能性が高いため、信号（希望波）の電力と比べると無視できるほど小さくなり、これを合成して希望波のレベル測定結果としても問題ない。なお、この場合は、保持回路１２１はタイミング情報のみを保持すればよいので、図６により前述した測定方法に比してその容量を削減することができる。
【００３５】
また、本発明は、上述した実施形態及び各変形例に限定されず、本発明の趣旨を逸脱しない範囲で種々変形して実施できることはいうまでもない。
〔Ｃ〕付記
（付記１）
複数のパスを介して到来する受信信号から自己に割り当てられた拡散符号と相関の大きい上位Ｎ（Ｎは自然数）パスの相関値を検出するパスサーチ部をそなえた移動端末において、
該パスサーチ部による今回のパスサーチで得られるパスのうち、前回のパスサーチで得られた上位Ｎパスの検出タイミングと一致するパスの相関値を選択し、
選択した相関値を加算することにより受信希望波のレベル測定を行なうことを特徴とする、受信レベル測定方法。
【００３６】
（付記２）
該レベル測定において、前回と今回の各パスサーチで該検出タイミングが所定許容範囲内にあるパスを同一パスとみなして当該パスの相関値を該加算対象に含めることを特徴とする、付記１記載の受信レベル測定方法。
（付記３）
複数のパスを介して到来する受信信号から自己に割り当てられた拡散符号と相関の大きい上位Ｎ（Ｎは自然数）パスの相関値を検出するパスサーチ部をそなえた移動端末において、
該パスサーチ部によるパスサーチで得られた上位Ｎパスの相関値のうち、所定の閾値を超えているものを選択し、
選択した相関値を加算することにより受信希望波のレベル測定を行なうことを特徴とする、受信レベル測定方法。
【００３７】
（付記４）
該レベル測定において、選択された相関値がない場合は、圏外判定となる一定値をレベル測定結果とすることを特徴とする、付記１〜３のいずれか１項に記載の受信レベル測定方法。
（付記５）
複数のパスを介して到来する受信信号から自己に割り当てられた拡散符号と相関の大きい上位Ｎ（Ｎは自然数）パスの相関値を検出するパスサーチ部をそなえた移動端末において、
該パスサーチ部による前回のパスサーチにより得られた相関値が上位Ｎパス以内に入る検出タイミングを記憶しておき、
今回のパスサーチにおいて上記記憶した検出タイミングで得られる相関値を選択し、
選択した相関値を加算することにより受信希望波のレベル測定を行なうことを特徴とする、受信レベル測定方法。
【００３８】
（付記６）
複数のパスを介して到来する受信信号から自己に割り当てられた拡散符号と相関の大きい上位Ｎ（Ｎは自然数）パスの相関値を検出するパスサーチ部をそなえた移動端末に用いられる受信レベル測定装置であって、
該パスサーチ部での前回のパスサーチにより得られた上位Ｎパスの相関値及びタイミング情報を保持する保持回路と、
該保持回路で保持されたタイミング情報に基づいて、該パスサーチ部による今回のパスサーチで得られるパスのうち、前回のパスサーチで得られた上位Ｎパスの検出タイミングと一致するパスの相関値を選択する選択回路と、
該選択回路で選択された相関値を加算して受信希望波のレベル測定結果として出力する加算回路とをそなえたことを特徴とする、受信レベル測定装置。
【００３９】
（付記７）
該選択回路が、前回と今回の各パスサーチで該検出タイミングが所定許容範囲内にあるパスを同一パスとみなして当該パスの相関値を該加算対象の相関値として選択するように構成されたことを特徴とする、付記６記載の受信レベル測定装置。
（付記８）
受信信号から自己に割り当てられた拡散符号と相関の大きい上位Ｎ（Ｎは自然数）パスを検出するパスサーチ部をそなえた移動端末に用いられる受信レベル測定装置であって、
該パスサーチ部によるパスサーチで得られた上位Ｎパスの相関値と所定の閾値を比較して当該閾値を超えている相関値を選択する選択回路と、
該選択回路で選択された相関値を加算して受信希望波のレベル測定結果として出力する加算回路とをそなえたことを特徴とする、受信レベル測定装置。
【００４０】
（付記９）
該加算回路が、該選択回路において選択された相関値がない場合は、圏外判定となる一定値をレベル測定結果として出力するように構成されたことを特徴とする、付記６〜８のいずれか１項に記載の受信レベル測定装置。
（付記１０）
複数のパスを介して到来する受信信号から自己に割り当てられた拡散符号と相関の大きい上位Ｎ（Ｎは自然数）パスの相関値を検出するパスサーチ部をそなえた移動端末に用いられる受信レベル測定装置であって、
該パスサーチ部による前回のパスサーチにより得られた相関値が上位Ｎパス以内に入る検出タイミングを記憶する保持回路と、
今回のパスサーチにおいて該保持回路で記憶した検出タイミングで得られる相関値を選択する選択回路と、
該選択回路で選択された相関値を加算して受信希望波のレベル測定結果として出力する加算回路とをそなえたことを特徴とする、受信レベル測定装置。
【産業上の利用可能性】
【００４１】
以上詳述したように、本発明によれば、移動端末の回路規模及び消費電力を大幅に削減しつつ、雑音成分を効果的に除去した精度の高いレベル測定を実現できるので、移動通信技術分野に極めて有用であると考えられる。
【図面の簡単な説明】
【００４２】
【図１】本発明の一実施形態に係る移動端末（CDMA端末）の要部の構成を示すブロック図である。
【図２】図１に示すパスサーチ部の構成例を示すブロック図である。
【図３】図１に示すレベル測定部（受信レベル測定装置）の構成例を示すブロック図である。
【図４】図１に示すパスサーチ部により得られる相関電力値及びタイミングの関係の一例を模式的に示す図である。
【図５】一般的な雑音の電力分布例を示す図である。
【図６】本実施形態の移動端末における受信レベル測定方法を説明するための図である。
【図７】本実施形態の移動端末における受信レベル測定方法の第１変形例を説明するための図である。
【図８】本実施形態の移動端末における受信レベル測定方法の第２変形例を説明するための図である。
【図９】本実施形態の第３変形例に係るレベル測定部の構成を示すブロック図である。
【図１０】本実施形態の移動端末における受信レベル測定方法の第３変形例を説明するための図である。
【図１１】本実施形態の移動端末における受信レベル測定方法の第３変形例を説明するための図である。
【図１２】本実施形態の移動端末における受信レベル測定方法の第４変形例を説明するための図である。
【図１３】従来の移動通信システム〔W（Wideband）-CDMAシステム〕に用いられる移動端末（CDMA端末）の要部（受信系）の構成を示すブロック図である。
【符号の説明】
【００４３】
１  アンテナ
２  デュプレクサ
３  無線受信部
４  Ａ／Ｄ変換器
５  パスサーチ部
５１  マッチトフィルタ
５２  電力化回路
５３  パス選別・タイミング算出回路
６  逆拡散部
７  同期検波部
８  信号処理部
９  SIR/RSSI測定部
１０  Ｄ／Ａ変換器
１１  無線送信部
１２  レベル測定部（受信レベル測定装置）
１２１  保持回路
１２２  タイミング比較・パス選別回路（選択回路）
１２２′  閾値比較・パス選別回路（選択回路）
１２３  加算回路
【図１】
2005191796.tif 000003
【図２】
2005191796.tif 000004
【図３】
2005191796.tif 000005
【図４】
2005191796.tif 000006
【図５】
2005191796.tif 000007
【図６】
2005191796.tif 000008
【図７】
2005191796.tif 000009
【図８】
2005191796.tif 000010
【図９】
2005191796.tif 000011
【図１０】
2005191796.tif 000012
【図１１】
2005191796.tif 000013
【図１２】
2005191796.tif 000014
【図１３】
2005191796.tif 000015